(57)【要約】      （修正有）【課題】軸筒部の断面視における長手方向の長さを抑制ししたうえで、部品点数、製造工数、コストを削減し生産効率を向上させるとともに、取り付け作業を迅速に行なうことができる蝶番を提供する。【解決手段】蝶番２０を、ドア枠１０側に配置される固定板３０と、ドア１２側に配置される可動板４０と、を備え、固定板３０は、軸部３１と、固定板取付部３２と、を有し、可動板４０は、軸筒部４１と、可動板取付部４２と、を有する構成とする。固定板取付部３２に、ガイド片３３を配設し、可動板取付部４２に、摺動片４３を配設し、摺動片４３を、ガイド片３３と係合可能、かつ、ガイド片３３を摺動可能に形成する。軸筒部４１の内周面に、軸部３１の挿入方向に沿って有底溝として形成された取り付け溝４４を配設し、軸部３１と取り付け溝４４との間に、板ばね５０を配置する構成とする。【選択図】図１
0003182838.tif 000002
【実用新案登録請求の範囲】
【請求項１】
戸当りが設けられたドア枠側に配置される固定板と、ドア側に配置される可動板と、を備える蝶番であって、
前記固定板は、軸部と、前記軸部から延設され前記ドア枠に取付けられる固定板取付部と、を有し、
前記固定板取付部は、前記可動板と前記固定板とが閉じた状態における平面視において、前記可動板側に突出するガイド片を有し、
前記ガイド片は、前記軸部から遠い側が前記固定板取付部に対して傾斜して形成されたガイド面を有し、
前記可動板は、前記軸部が挿入される断面が長孔をなす筒状の軸筒部と、前記軸筒部の断面視における長手方向の一端側から延設され前記ドアに取付けられる可動板取付部と、を有し、
前記軸筒部の断面視における長手方向の他端側の内周面には、前記軸部の挿入方向に沿って有底溝として形成された取り付け溝が配設され、
前記可動板取付部は、前記可動板と前記固定板とが閉じた状態における平面視において、前記固定板側に突出する摺動片を有し、
前記摺動片は、前記ガイド面と係合可能、かつ、前記ガイド面を摺動可能に形成され、
前記軸部と前記軸筒部の前記取り付け溝との間には、板ばねが配置され、
前記ドア及び前記ドア枠に取り付けられた状態における平面視において、
前記ガイド片の前記ガイド面において前記摺動片が摺動することによって、前記戸当り側に前記可動板が移動して、前記ガイド片と前記摺動片とが係合可能に形成され、
前記板ばねの付勢力により、前記ガイド片と前記摺動片との係合を解除する際に前記戸当りと反対側に前記可動板が移動可能に形成されていることを特徴とする蝶番。
【請求項２】
戸当りが設けられたドア枠側に配置される固定板と、ドア側に配置される可動板と、を備える蝶番であって、
前記可動板は、軸部と、前記軸部から延設され前記ドアに取付けられる可動板取付部と、を有し、
前記可動板取付部は、前記可動板と前記固定板とが閉じた状態における平面視において、前記固定板側に突出する摺動片を有し、
前記固定板は、前記軸部が挿入される断面が長孔をなす筒状の軸筒部と、前記軸筒部の断面視における長手方向の一端側から延設され前記ドア枠に取付けられる固定板取付部と、を有し、
前記軸筒部の断面視における長手方向の一端側の内周面には、前記軸部の挿入方向に沿って有底溝として形成された取り付け溝が配設され、
前記固定板取付部は、前記可動板と前記固定板とが閉じた状態における平面視において、前記可動板側に突出するガイド片を有し、
前記ガイド片は、前記軸筒部から遠い側が前記固定板取付部に対して傾斜するガイド面を有し、
前記摺動片は、前記ガイド面と係合可能、かつ、前記ガイド面を摺動可能に形成され、
前記軸部と前記軸筒部の前記取り付け溝との間には、板ばねが配置され、
前記ドア及び前記ドア枠に取り付けられた状態における平面視において、
前記ガイド片の前記ガイド面において前記摺動片が摺動することによって、前記戸当り側に前記可動板が移動して、前記ガイド片と前記摺動片とが係合可能に形成され、
前記板ばねの付勢力により、前記ガイド片と前記摺動片との係合を解除する際に前記戸当りと反対側に前記可動板が移動可能に形成されていることを特徴とする蝶番。
【請求項３】
前記板ばねは、中央部に屈曲部を有するくの字状に形成され、
前記屈曲部が、前記取り付け溝内に配置されていることを特徴とする請求項１又は２記載の蝶番。
【請求項４】
前記ガイド片が、複数配設され、
前記摺動片が、前記ガイド片に対応して複数配設され、
前記可動板と前記固定板とが閉じた状態における平面視において、前記ガイド片と前記摺動片との各係合部分が一致するように形成されていることを特徴とする請求項１、２又は３記載の蝶番。
【考案の詳細な説明】
【技術分野】
【０００１】
本考案は、ドアを開閉するためにドアとドア枠に装着される蝶番に関する。
【背景技術】
【０００２】
ドアを開閉するためにドアとドア枠に装着される蝶番として、本出願人が先にした特許文献１に記載されるものがある。これによれば、軸部と、軸部に固着する第１の取付片と軸部に枢着する第２の取付片とを有して構成され、第１の取付片をドアの背面に装着し、第２の取付片を取付面に装着していた。第２の取付片は、長円筒状の軸筒部と取付板とを有し、軸筒部には、コイルばねとばね係止片とを有する付勢体を挿入して軸部を押圧していた。第１の取付片には、傾斜面を有する係合片を配置し、第２の取付片には傾斜面に係合する受け片を配置させて、ドアを閉めると、係合片と受け片を係合させてドアを取付部の水平方向に沿って移動させる構成とされていた。
【０００３】
これにより、ドアを閉める際に、ドアとドア枠との隙間を小さくしてドアの室内側と室外側との気密性を向上させていた。
【先行技術文献】
【特許文献】
【０００４】
【特許文献１】特開２００３−４１８４４号公報
【考案の概要】
【考案が解決しようとする課題】
【０００５】
しかし、上記蝶番では、付勢体は、コイルばねと複数のばね係止片で構成され、コイルばねの両端にばね係止片を取り付けなければならないため、部品点数、製造工数、コストが多くなり、生産効率を向上させることが望まれていた。
【０００６】
また、上記付勢体は、軸筒部と軸部との間に配置されるが、位置決め手段がなかったため、組み付け作業が遅くなるおそれがあった。
【０００７】
さらに、コイルばねは、その構成から最大荷重時でもばねの両端間の長さ（密着高さ）があるので、軸筒部の断面視における長手方向の長さを大きくさせる原因となっていた。
【０００８】
本考案は、上記事情に鑑み、軸筒部の断面視における長手方向の長さを抑制ししたうえで、部品点数、製造工数、コストを削減し生産効率を向上させるとともに、取り付け作業を迅速に行なうことができる蝶番を提供することを目的とする。
【課題を解決するための手段】
【０００９】
請求項１記載の考案では、戸当りが設けられたドア枠側に配置される固定板と、ドア側に配置される可動板と、を備える蝶番であって、
固定板は、軸部と、軸部から延設されドア枠に取付けられる固定板取付部と、を有し、
固定板取付部は、可動板と固定板とが閉じた状態における平面視において、可動板側に突出するガイド片を有し、
ガイド片は、軸部から遠い側が固定板取付部に対して傾斜して形成されたガイド面を有し、
可動板は、軸部が挿入される断面が長孔をなす筒状の軸筒部と、軸筒部の断面視における長手方向の一端側から延設されドアに取付けられる可動板取付部と、を有し、
軸筒部の断面視における長手方向の他端側の内周面には、軸部の挿入方向に沿って有底溝として形成された取り付け溝が配設され、
可動板取付部は、可動板と固定板とが閉じた状態における平面視において、固定板側に突出する摺動片を有し、
摺動片は、ガイド面と係合可能、かつ、ガイド面を摺動可能に形成され、
軸部と軸筒部の取り付け溝との間には、板ばねが配置され、
ドア及びドア枠に取り付けられた状態における平面視において、
ガイド片のガイド面において摺動片が摺動することによって、戸当り側に可動板が移動して、ガイド片と摺動片とが係合可能に形成され、
板ばねの付勢力により、ガイド片と摺動片との係合を解除する際に戸当りと反対側に可動板が移動可能に形成されている。
【００１０】
これによれば、軸筒部を付勢する部材として変形しやすい単体の板ばねを持ちることで、付勢体としての板ばねの設置スペースを小さくすることができる。また、軸筒部に軸部を挿入した後、軸筒部に形成された取り付け溝に沿って単体の板ばねを挿入すれば、固定板と可動板とを組み付けられる。よって、軸筒部の断面視における長手方向の長さを抑制したうえで、部品点数、製造工数、コストを削減し生産効率を向上させるとともに、取り付け作業を迅速に行なうことができることができる。
【００１１】
また、可動板を、軸部と、軸部から延設されドアに取付けられる可動板取付部と、を有する構成とし、固定板を、軸部が挿入される断面が長孔をなす長孔筒状の軸筒部と、軸筒部の断面視における長手方向の一端側から延設されドア枠に取付けられる固定板取付部と、を有する構成とし、軸筒部の断面視における長手方向の一端側の内周面に、軸部の挿入方向に沿って有底溝として形成された取り付け溝を配設しても、上記効果を奏することができる。
【００１２】
また、板ばねを、中央部に屈曲部を有するくの字状に形成し、屈曲部を、取り付け溝内に配置すれば、取り付け溝に板ばねの屈曲部が当接して、板ばねが可動板の回転に追随するのを防止するとともに、屈曲部を挟んだ二点で軸部と接することになり、蝶番の開閉動作を安定させることができる。
【００１３】
また、ガイド片を、複数配設して、摺動片を、ガイド片に対応して複数配設して、可動板と固定板とが閉じた状態における平面視において、ガイド片と摺動片との各係合部分が一致するように形成すれば、可動板の回動軸のブレを防止するとともに戸当り側への可動板の移動を安定させることができる。
【図面の簡単な説明】
【００１４】
【図１】本考案の第一の実施形態の蝶番をドア及びドア枠に装着した状態を示す側面図である。
【図２】同実施形態の蝶番の分解及び組付状態を示す平面図である。
【図３】同実施形態の蝶番の板ばねの配置状態を示す斜視図である
【図４】同実施形態の蝶番を装着したドアの開閉作用（開いた状態）を示す平面断面図である。
【図５】同実施形態の蝶番を装着したドアの開閉作用（開閉途中）を示す平面断面図である。
【図６】同実施形態の蝶番を装着したドアの開閉作用（閉じた状態）を示す平面断面図である
【図７】本考案の第二の実施形態の蝶番をドア及びドア枠に装着した状態を示す側面図である。
【図８】同実施形態の蝶番の分解及び組付状態を示す平面図である。
【図９】同実施形態の蝶番の板ばねの配置状態を示す斜視図である
【図１０】同実施形態の蝶番を装着したドアの開閉作用（開いた状態）を示す平面断面図である。
【図１１】同実施形態の蝶番を装着したドアの開閉作用（開閉途中）を示す平面断面図である。
【図１２】同実施形態の蝶番を装着したドアの開閉作用（閉じた状態）を示す平面断面図である
【考案を実施するための形態】
【００１５】
本考案の蝶番の第一の実施形態について図面に基づいて説明する。以下の説明において、各図面に記載される矢印の、Ｆを前、ＲＥを後ろ、Ｒを右、Ｌを左、Ｕを上、Ｄを下、とする。
【００１６】
本考案の蝶番２０は、慨略的には図４〜６に示すように、戸当り１１が設けられたドア枠１０と、ドア枠１０内に配置されるドア１２と、を連結する蝶番であって、ドア１２を閉じたときに、戸当り１１とドア１２との隙間を小さくして気密性を向上しようとするものである。
【００１７】
ドア枠１０は、矩形枠状又は門型枠状で内側に突出する断面矩形状に形成された戸当り１１を有し、ドア１２が閉じられた時、戸当り１１の後面部１１ａが、ドア１２の前面部１２ａと対向するように形成されている。
【００１８】
ドア１２は、本実施形態では、矩形平板状で後側に開く開き戸として構成され、ドア枠１０の右縦枠１０ａに蝶番２０を介して取り付けられている。
【００１９】
蝶番２０は、図１〜６に示すように、ドア枠１０に取付けられる固定板３０と、ドア１２に取付けられる可動板４０と、を備えている。
【００２０】
固定板３０は、軸部３１と、固定板取付部３２と、を有している。
【００２１】
軸部３１は、大径部３１ａと、大径部３１ａから上方に延び大径部３１ａより小径に形成された小径部３１ｂと、を有した段付き円柱形状に形成されている。
【００２２】
固定板取付部３２は、平板形状で平面視において、大径部３１ａの軸線から偏位した位置から延設されている。換言すれば、固定板取付部３２は、下部で大径部３１ａと連設している。
【００２３】
固定板取付部３２は、ドア枠１０の右縦枠１０ａの左面部１０ｂに装着するときにねじが挿通されるねじ通し孔３２ａが複数箇所（本実施形態では５個）形成されている。
【００２４】
可動板４０と固定板３０とが閉じた状態における、固定板取付部３２の可動板取付部４２との対向面３２ｂの上端部及び下端部には、後述する可動板取付部４２側に突出するガイド片３３、３３が配設されている。
【００２５】
ガイド片３３、３３は、可動板４０と固定板３０とが閉じた状態における平面視において、前側（実用新案登録請求の範囲における軸部から遠い側）が傾斜するガイド面３３ａをそれぞれ有している。
【００２６】
可動板４０は、軸筒部４１と、軸筒部４１から延設されドア枠１０に取付けられる可動板取付部４２と、を有している。
【００２７】
軸筒部４１は、断面が長孔をなす筒状で、軸部３１の小径部３１ｂが挿入可能に形成されるとともに、軸部３１の小径部３１ｂの外周面と平面視における長手方向において摺動可能に形成されている。
【００２８】
可動板取付部４２は、平板形状で平面視において、軸筒部４１の長手方向における一端側、かつ、軸筒部４１の軸線から偏位した位置から延設されている。換言すれば、可動板取付部４２は、上部で軸筒部４１と連設している。
【００２９】
可動板取付部４２は、ドア１２の右側面部１２ｂに装着するときにねじが挿通されるねじ通し孔４２ａが複数か所（本実施形態では５か所）形成されている。
【００３０】
可動板４０と固定板３０とが閉じた状態における、可動板取付部４２の固定板取付部３２との対向面４２ｂの上端部及び下端部には、固定板取付部３２側に突出する摺動片４３、４３が配設されている。
【００３１】
摺動片４３、４３は、可動板４０と固定板３０とが閉じた状態における平面視において、後側が傾斜してガイド面３３ａと係合可能な係合面４３ａをそれぞれ有している。
【００３２】
軸筒部４１の内側の可動板取付部４２と反対側には、上下方向（実用新案登録請求の範囲における軸部の挿入方向）に沿って、内周面４１ａから外周面４１ｂに向かって凹む有底溝として形成された取り付け溝４４が設けられている。取り付け溝４４の幅は、後述する板ばね５０の短手方向の長さと略同一に形成されている。
【００３３】
軸筒部４１に軸部３１の小径部３１ｂを挿入し、閉塞部材４５を小径部３１ｂの上端面に図示しないボルト等で取り付けることにより、軸筒部４１が小径部３１ｂに対して軸筒部４１の長手方向に沿って移動可能とされている。換言すれば、蝶番２０が取り付けられた状態において、ドア１２に取り付けられた可動板４０が固定板３０に対して移動可能とされている。
【００３４】
板ばね５０は、長尺板状で、短手方向の長さが取り付け溝４４の幅と略同一に形成され、長手方向の中央部に屈曲部５０ａを有し、屈曲部５０ａが、取り付け溝４４内に配置されている。可動板４０と固定板３０とが開いた状態において、少なくとも屈曲部５０ａ及びその周辺部分が、取り付け溝４４内に配置されている。
【００３５】
ガイド片３３、３３と摺動片４３、４３とは、可動板４０と固定板３０とが閉じた状態における平面視において、上のガイド片３３のガイド面３３ａと上の摺動片４３の係合面４３ａとの係合部分Ｘと、下のガイド片３３のガイド面３３ａと下の摺動片４３の係合面４３ａとの係合部分Ｘとが、一致するように配置されている。
【００３６】
蝶番２０の取付方法について説明する。ドア枠１０の右縦枠１０ａの左面部１０ｂに固定板取付部３２を取り付け、ドア１２の右側面部１２ｂに可動板取付部４２を取り付け、固定板３０の軸部３１に、可動板４０の軸筒部４１を上側から嵌め込み、軸筒部４１の上側から取り付け溝４４側に屈曲部５０ａが位置するように板ばね５０を挿入する。閉塞部材４５を小径部３１ｂの上端面に図示しないボルト等により締結して、蝶番２０のドア枠１０及びドア１２への取り付けが完了する。
【００３７】
長尺状の板ばね５０は、軸筒部４１の上下方向に沿って設けられた取り付け溝４４の側面部４４ａ、４４ｂにガイドされるので組付け作業を迅速に行なうことができる。
【００３８】
次に、蝶番２０をドア１２及びドア枠１０に装着した状態で、ドア１２を開閉させる作用について、図４〜６に基づいて説明する。
【００３９】
図４はドア１２が開いた状態にあり、この状態では軸筒部４１は、板ばね５０に付勢されて、軸筒部４１の内周面４１ａの可動板取付部４２側で軸部３１の小径部３１ｂと接するように押圧されている。
【００４０】
次に、開いているドア１２をドア枠１０に向かって徐々に閉めると、図５に示すように、ドア１２に取り付けた可動板４０の摺動片４３が、ドア枠１０に取り付けた固定板３０のガイド片３３に当接する。可動板４０の摺動片４３が固定板３０のガイド片３３のガイド面３３ａに当接して、さらに摺動片４３がガイド片３３のガイド面３３ａを押圧すると、摺動片４３がその反力を受けて可動板４０を介してドア１２を、前方向に移動させる。つまり、ドア枠１０は壁体に固着されていて、ドア１２がドア枠１０に対して回動可能に配置されていることから、軸筒部４１が軸部３１に対して、板ばね５０の付勢力に抗して、前方向に移動するとともに、ドア１２の右側面部１２ｂが、ドア枠１０の右縦枠１０ａの左面部１０ｂに接近する方向に移動することとなる。
【００４１】
さらに、ドア１２をドア枠１０に接近させるように回転させて閉じると、図６に示すように、可動板４０の摺動片４３が固定板３０のガイド片３３をさらに押圧することによって、摺動片４３がガイド片３３のガイド面３３ａに沿ってガイド片３３の元部側に向かって移動され、ガイド面３３ａと係合面４３ａとが係合される。これによって、軸筒部４１は板ばね５０を圧縮させる方向にさらに移動してドア１２とともに、図６中、左方向に移動する。よって、ドア１２の前面部１２ａが、戸当たり１１の後面部１１ａ側に接近する方向（前方向）に移動し、戸当り１１の後面部１１ａが、ドア１２の前面部１２ａとの隙間を小さくして気密性を向上させることとなる。
【００４２】
このとき、可動板４０と固定板３０とが閉じた状態における平面視において、上のガイド片３３のガイド面３３ａと上の摺動片４３の係合面４３ａとの係合部分Ｘと、下のガイド片３３のガイド面３３ａと下の摺動片４３の係合面４３ａとの係合部分Ｘとが、一致するように配置されているので、可動板４０の回動軸のブレを防止するとともに戸当り１１側への可動板４０の移動を安定させるように作用する。
【００４３】
ガイド面３３ａと係合面４３ａとの係合を解除すると、板ばね５０の付勢力により、後側（実用新案登録請求の範囲における戸当りと反対側）に可動板４０の軸筒部４１が移動する。これにより、ドア１２の前面部１２ａが戸当り１１の後面部１１ａから離脱する方向（後方向）に移動することとなる。
【００４４】
また、板ばね５０は、少なくとも屈曲部５０ａ及びその周辺部分の短手方向の両端部が、取り付け溝４４の側面部４４ａ、４４ｂにより拘束され、軸筒部４１が軸部３１に対して回動しても追随することがない。
【００４５】
上記構成の蝶番２０では、戸当り１１が設けられたドア枠１０側に配置される固定板３０と、ドア１２側に配置される可動板４０と、を備える蝶番であって、
固定板３０は、軸部３１と、軸部３１から延設されドア枠１０に取付けられる固定板取付部３２と、を有し、固定板取付部３２は、可動板４０と固定板３０とが閉じた状態における平面視において、可動板４０側に突出するガイド片３３を有し、ガイド片３３は、軸部３１から遠い側が固定板取付部３２に対して傾斜して形成されたガイド面３３ａを有し、可動板４０は、軸部３１が挿入される断面が長孔をなす筒状の軸筒部４１と、軸筒部４１の断面視における長手方向の一端側から延設されドア１２に取付けられる可動板取付部４２と、を有し、軸筒部４１の断面視における可動板取付部４２と反対側（長手方向の他端側）の内周面４１ａには、軸部３１の挿入方向に沿って有底溝として形成された取り付け溝４４が配設され、可動板取付部４２は、可動板４０と固定板３０とが閉じた状態における平面視において、固定板３０側に突出する摺動片４３を有し、摺動片４３は、ガイド面３３ａと係合可能、かつ、ガイド面３３ａを摺動可能に形成され、軸部３１と軸筒部４１の取り付け溝４４との間には、板ばね５０が配置され、ドア１２及びドア枠１０に取り付けられた状態における平面視において、ガイド片３３のガイド面３３ａにおいて摺動片４３が摺動することによって、戸当り１１側に可動板４０が移動して、ガイド片３３と摺動片４３とが係合可能に形成され、板ばね５０の付勢力により、ガイド片３３と摺動片４３との係合を解除する際に戸当り１１と反対側に可動板４０が移動可能に形成されている。
【００４６】
これによれば、軸筒部４１を付勢する部材として変形しやすい単体の板ばね５０を用いることで、付勢体としての板ばね５０の設置スペースを小さくすることができる。また、軸筒部４１に軸部３１を挿入した後、軸筒部４１に形成された取り付け溝４４に沿って単体の板ばね５０を挿入すれば、固定板３０と可動板４０とを組み付けられる。よって、軸筒部４１の断面視における長手方向の長さを抑制したうえで、部品点数、製造工数、コストを削減し生産効率を向上させるとともに、取り付け作業を迅速に行なうことができることができる。
【００４７】
また、板ばね５０を、中央部に屈曲部５０ａを有するくの字状に形成し、屈曲部５０ａを、取り付け溝４４内に配置しているので、取り付け溝４４に板ばね５０の屈曲部５０ａが当接して、板ばね５０が可動板４０の回転に追随するのを防止するとともに、屈曲部５０ａを挟んだ二点で軸部３１と接することになり、蝶番２０の開閉動作を安定させることができる。
【００４８】
また、ガイド片３３を、複数配設して、摺動片４３を、ガイド片３３に対応して複数配設して、可動板４０と固定板３０とが閉じた状態における平面視において、ガイド片３３と摺動片４３との各係合部分Ｘが一致するように形成しているので、可動板４０の回動軸のブレを防止するとともに戸当り１１側への可動板４０の移動を安定させることができる。
【００４９】
本考案の第二の実施形態を説明する。以下の説明において、第一の実施形態と同じ構成については、同一符号を付し全部又は一部の説明を省略する。
【００５０】
蝶番２０Ａは、図７〜１２に示すように、可動板６０と、固定板７０と、を備えている。
【００５１】
可動板６０は、軸部３１と、可動板取付部４２と、で構成されている。
【００５２】
軸部３１は、第一の実施形態と上下逆にして配置され、大径部３１ａと、大径部３１ａから下方に延び大径部３１ａより小径に形成された小径部３１ｂと、を有した段付き円柱形状に形成されている。可動板取付部４２は、上部で大径部３１ａと連設している。
【００５３】
固定板７０は、軸筒部７１と、軸筒部７１から延設されドア枠１０に取付けられる固定板取付部３２と、で構成されている。
【００５４】
軸筒部７１は、断面が長孔をなす筒状で、軸部３１の小径部３１ｂが挿入可能に形成されている。
【００５５】
固定板取付部３２は、平板形状で上下方向からみて、軸筒部７１の軸線から偏位した位置から延設されている。換言すれば、固定板取付部３２は、下部で軸筒部７１と連設している。
【００５６】
軸筒部７１の内側の固定板取付部３２側には、上下方向（軸部の挿入方向）に沿って、内周面７１ａから外周面７１ｂに向かって凹む有底溝として形成された取り付け溝７６が設けられている。
【００５７】
蝶番２０Ａの取付方法について説明する。軸筒部７１に軸部３１の小径部３１ｂを上側から挿入し、軸筒部７１の下側から取り付け溝７６側に屈曲部５０ａが位置するように板ばね５０を挿入する。閉塞部材４５を軸部３１の小径部３１ｂの下端面に図示しないボルト等により締結して、蝶番２０のドア枠１０及びドア１２への取り付けが完了する。
【００５８】
次に、蝶番２０Ａをドア１２及びドア枠１０に装着した状態で、ドア１２を開閉させる作用について、図１０〜１２に基づいて説明する。
【００５９】
図１０はドア１２が開いた状態にあり、この状態では軸部３１は、板ばね５０に付勢されて、固定板７０の軸筒部７１の断面視における後側に押圧されている。
【００６０】
次に、開いているドア１２をドア枠１０に向かって徐々に閉めると、図１１に示すように、ドア１２に取り付けた可動板６０の摺動片４３が、ドア枠１０に取り付けた固定板７０のガイド片３３に当接する。可動板６０の摺動片４３が固定板７０のガイド片３３のガイド面３３ａに当接して、さらに摺動片４３がガイド片３３のガイド面３３ａを押圧すると、摺動片４３がその反力を受けて可動板６０を介してドア１２を、前方向に移動させる。つまり、ドア枠１０は壁体に固着されていて、ドア１２がドア枠１０に対して回動可能に配置されていることから、軸部３１が固定板７０の軸筒部７１内を、板ばね５０の付勢力に抗して、前方向に移動するとともに、ドア１２の右側面部１２ｂが、ドア枠１０の右縦枠１０ａの左面部１０ｂに接近する方向に移動することとなる。
【００６１】
さらに、ドア１２をドア枠１０に接近させるように回転させて閉じると、図１２に示すように、可動板６０の摺動片４３が固定板７０のガイド片３３をさらに押圧することによって、摺動片４３がガイド片３３のガイド面３３ａに沿ってガイド片３３の元部側に向かって移動され、ガイド面３３ａと係合面４３ａとが係合される。これによって、軸部３１は、板ばね５０を圧縮させる方向にさらに移動してドア１２とともに、前方向に移動する。よって、ドア１２の前面部１２ａが戸当たり１１の後面部１１ａに接近する方向（前方向）に移動し、戸当り１１の後面部１１ａが、ドア１２の前面部１２ａとの隙間を小さくして気密性を向上させることとなる。
【００６２】
ガイド面３３ａと係合面４３ａとの係合を解除すると、板ばね５０の付勢力により、可動板６０の軸部３１が後側（実用新案登録請求の範囲における戸当りと反対側）に押されて可動板６０が移動する。これにより、ドア１２の前面部１２ａが戸当り１１の後面部１１ａから離脱する方向（後方向）に移動することとなる。
【００６３】
また、板ばね５０は、少なくとも屈曲部５０ａ及びその周辺部分の短手方向の両端部が、取り付け溝７６の側面部７６ａ、７６ｂにより拘束され、軸筒部４１が軸部３１に対して回動しても追随することがない。
【００６４】
上記構成の蝶番２０Ａによっても、第一の実施形態の蝶番２０と、同様の効果を奏することができる。
【００６５】
本考案の蝶番は上記構成に限定されるものではない。即ち、本考案の要旨を逸脱しない限り各種の設計変更等が可能である。以下に、変形した態様を例示する。
【００６６】
蝶番２０、２０Ａは、ドア枠１０の右縦枠１０ａの左面部１０ｂに取り付けられているが、ドア枠１０の左縦枠の右面部に取り付けることも可能である。
【００６７】
また、蝶番２０において、軸部３１の大径部３１ａは、固定板取付部３２の下部と、軸筒部４１は可動板取付部４２の上部と連設しているが、軸部３１の大径部３１ａを固定板取付部３２の上部と、軸筒部４１を可動板取付部４２の下部と連設させて、下側から軸部３１の小径部３１ｂに軸筒部４１を外側から嵌め込む構成とすることができる。この場合、蝶番２０と、軸筒部４１の嵌め込み方向が上下逆になるが、作用効果は蝶番２０と同様となる。
【００６８】
また、蝶番２０Ａにおいて、軸部３１の大径部３１ａは、可動板取付部４２の上部と、軸筒部４１は固定板取付部３２の下部と連設しているが、軸部３１の大径部３１ａを可動板取付部４２の下部と、軸筒部４１を固定板取付部３２の上部と連設させて、下側から軸筒部４１内に軸部３１を挿入する構成とすることができる。この場合、蝶番２０Ａと、軸部３１の挿入方向が上下逆になるが、作用効果は蝶番２０Ａと同様となる。
【００６９】
また、板ばね５０は、軸部３１の小径部３１ｂを複数箇所で付勢できるのであれば、くの字状には限定されない。
【符号の説明】
【００７０】
１０  ドア枠
１１  戸当り
１２  ドア
２０、２０Ａ  蝶番
３０  固定板
３１  軸部
３２  固定板取付部
３２ｂ  対向面
３３  ガイド片
３３ａ  ガイド面
４０  可動板
４１  軸筒部
４１ａ  内周面
４２  可動板取付部
４２ｂ  対向面
４３  摺動片
４４  取り付け溝
４４ａ  側面部
４４ｂ  側面部
５０  板ばね
５０ａ  屈曲部
６０  可動板
７０固定板
７１  軸筒部
７１ａ  内周面
７６  取り付け溝
Ｘ  係合部分
【図１】
0003182838.tif 000003
【図２】
0003182838.tif 000004
【図３】
0003182838.tif 000005
【図４】
0003182838.tif 000006
【図５】
0003182838.tif 000007
【図６】
0003182838.tif 000008
【図７】
0003182838.tif 000009
【図８】
0003182838.tif 000010
【図９】
0003182838.tif 000011
【図１０】
0003182838.tif 000012
【図１１】
0003182838.tif 000013
【図１２】
0003182838.tif 000014